(57)【特許請求の範囲】
【請求項１】
遊技機の背面側に配設され、所定量の遊技球を収容し得る収容タンクと、
該収容タンクに接続され、当該収容タンク内の遊技球を１列に整列させつつ流下させ得るタンクレールと、
を具備したパチンコ遊技機において、
前記収容タンク内で遊技球が前記タンクレールの底面に向かって流下する第１流下経路と、該第１流下経路を経て前記タンクレールを流下する遊技球の上部側に向かって当該収容タンク内で遊技球が流下する第２流下経路とを有することにより、遊技球が前記タンクレールにて上下層を成して流下し得るよう構成されるとともに、当該タンクレールは、幅方向に屈曲形成され、前記上下層を成して流下する遊技球を崩して単層とし得る部位を有することをことを特徴とするパチンコ遊技機。
【請求項２】
前記収容タンク内の遊技球を前記タンクレールの下部に向かって案内する第１案内部と、
前記収容タンク内の遊技球を前記タンクレールの上部に向かって案内する第２案内部と、
を備え、当該第１案内部及び第２案内部で案内された遊技球が前記タンクレールにて上下層を成して流下し得るよう構成されたことを特徴とする請求項１記載のパチンコ遊技機。
【請求項３】
前記第１案内部は、前記タンクレールの底面に向かって遊技球を案内する傾斜面から成るとともに、第２案内部は、前記タンクレールの側方縁部から当該タンクレールに向かって遊技球を案内する部位から成ることを特徴とする請求項２記載のパチンコ遊技機。
【請求項４】
前記タンクレールは、その基端が前記収容タンクに接続されるとともに、その先端が遊技球を払い出すための払出装置における遊技球の導入口に接続可能とされたことを特徴とする請求項１〜３の何れか１つに記載のパチンコ遊技機。
【発明の詳細な説明】
【技術分野】
【０００１】
本発明は、遊技機の背面側に配設され、所定量の遊技球を収容し得る収容タンクと、該収容タンクに接続され、当該収容タンク内の遊技球を１列に整列させつつ流下させ得るタンクレールとを具備したパチンコ遊技機に関するものである。
【背景技術】
【０００２】
パチンコ遊技機は、通常、ホールに固定された島設備に複数並列に設置され、当該島設備側から遊技球が供給されるよう構成されている。しかるに、パチンコ遊技機の背面側上部には、所定量の遊技球を収容し得る収容タンクと、該収容タンクに接続されて当該収容タンク内の遊技球を１列に整列させつつ流下させるタンクレールとが配設されており、島設備側から供給された遊技球を収容タンクにて収容させるとともに、タンクレールにて流下させ得るようになっている。
【０００３】
また、パチンコ遊技機の背面側には、遊技球を払い出すための払出装置が配設されており、当該払出装置における遊技球の導入口にタンクレールの先端が接続されている。かかる払出装置は、例えばモータ等の駆動源にて駆動して遊技球を１個ずつ順次遊技者側に払い出すための払出機構が形成されており、近時においては、当該払出機構における駆動源の駆動速度をより高速にして払出速度を向上させたものが提案されるに至っている。
【０００４】
しかるに、払出装置による払出速度がより高速になるのに伴い、タンクレールで流下させる遊技球を追従させる工夫が必要になることから、例えば特許文献１にて開示されているように、タンクレールを複数形成し、これらを合流させた後に払出装置に至らせるものが提案されるに至っている。かかる従来のパチンコ遊技機によれば、払出装置まで遊技球を流下させるためのタンクレールが複数並設されているので、より高速に払出可能な払出装置にも対応可能とされている。
【先行技術文献】
【特許文献】
【０００５】
【特許文献１】特開２０１１−１３９７６４号公報
【発明の概要】
【発明が解決しようとする課題】
【０００６】
しかしながら、上記従来のパチンコ遊技機においては、遊技球を流下させるためのタンクレールが複数並設されているので、当該タンクレールの幅方向寸法が大きくなってしまうとともに、それぞれのタンクレールの合流部位において遊技球の噛み込み（球詰まり）が生じてしまう虞があった。また、タンクレールの合流部位における噛み込みを防止するための手段や形状等が必要とされるため、当該タンクレールが複雑になってしまうという問題があった。
【０００７】
本発明は、このような事情に鑑みてなされたもので、タンクレールの小型化及び簡素化を図ることができるとともに、払出装置の払出速度に容易に追従して遊技球を流下させることができるパチンコ遊技機を提供することにある。
【課題を解決するための手段】
【０００８】
請求項１記載の発明は、遊技機の背面側に配設され、所定量の遊技球を収容し得る収容タンクと、該収容タンクに接続され、当該収容タンク内の遊技球を１列に整列させつつ流下させ得るタンクレールとを具備したパチンコ遊技機において、前記収容タンク内で遊技球が前記タンクレールの底面に向かって流下する第１流下経路と、該第１流下経路を経て前記タンクレールを流下する遊技球の上部側に向かって当該収容タンク内で遊技球が流下する第２流下経路とを有することにより、遊技球が前記タンクレールにて上下層を成して流下し得るよう構成されるとともに、当該タンクレールは、幅方向に屈曲形成され、前記上下層を成して流下する遊技球を崩して単層とし得る部位を有することを特徴とする。
【００１０】
請求項２記載の発明は、請求項１記載のパチンコ遊技機において、前記収容タンク内の遊技球を前記タンクレールの下部に向かって案内する第１案内部と、前記収容タンク内の遊技球を前記タンクレールの上部に向かって案内する第２案内部とを備え、当該第１案内部及び第２案内部で案内された遊技球が前記タンクレールにて上下層を成して流下し得るよう構成されたことを特徴とする。
【００１１】
請求項３記載の発明は、請求項２記載のパチンコ遊技機において、前記第１案内部は、前記タンクレールの底面に向かって遊技球を案内する傾斜面から成るとともに、第２案内部は、前記タンクレールの側方縁部から当該タンクレールに向かって遊技球を案内する部位から成ることを特徴とする。
【００１２】
請求項４記載の発明は、請求項１〜３の何れか１つに記載のパチンコ遊技機において、前記タンクレールは、その基端が前記収容タンクに接続されるとともに、その先端が遊技球を払い出すための払出装置における遊技球の導入口に接続可能とされたことを特徴とする。
【発明の効果】
【００１３】
請求項１の発明によれば、遊技球がタンクレールにて上下層を成して流下し得るよう構成されたので、タンクレールの小型化及び簡素化を図ることができるとともに、払出装置の払出速度に容易に追従して遊技球を流下させることができる。
【００１４】
また、収容タンク内で遊技球がタンクレールの底面に向かって流下する第１流下経路と、該第１流下経路を経てタンクレールを流下する遊技球の上部側に向かって当該収容タンク内で遊技球が流下する第２流下経路とを有するので、タンクレールの小型化及び簡素化を図ることができるとともに、払出装置の払出速度に容易に追従して遊技球を流下させることができる。
【００１５】
請求項２の発明によれば、収容タンク内の遊技球を前記タンクレールの下部に向かって案内する第１案内部と、収容タンク内の遊技球を前記タンクレールの上部に向かって案内する第２案内部とを備え、当該第１案内部及び第２案内部で案内された遊技球がタンクレールにて上下層を成して流下し得るよう構成されたので、より確実に上下層を成して遊技球を流下させることができる。
【００１６】
請求項３の発明によれば、第１案内部は、タンクレールの底面に向かって遊技球を案内する傾斜面から成るとともに、第２案内部は、タンクレールの側方縁部から当該タンクレールに向かって遊技球を案内する部位から成るので、より簡易な構成にて遊技球が上下層を成すようにすることができる。
【００１７】
請求項４の発明によれば、タンクレールは、その基端が収容タンクに接続されるとともに、その先端が遊技球を払い出すための払出装置における遊技球の導入口に接続可能とされたので、払出装置の払出速度に対して遊技球の流下をより確実に追従させることができる。
【図面の簡単な説明】
【００１８】
【図１】本発明に係る第１の実施形態のパチンコ遊技機を示す斜視図
【図２】同パチンコ遊技機における収容タンク及びタンクレールを組み付ける前の状態を示す斜視図
【図３】同パチンコ遊技機における収容タンク及びタンクレールを示す斜視図
【図４】同パチンコ遊技機における収容タンク及びタンクレールを示す平面図
【図５】図４におけるＶ−Ｖ線断面図
【図６】同パチンコ遊技機における収容タンク及びタンクレールの接続部を示す拡大断面図
【図７】同パチンコ遊技機における収容タンク内の遊技球の流下経路を示す断面図
【図８】図４におけるＶＩＩＩ−ＶＩＩＩ線断面図
【図９】図４におけるＩＸ−ＩＸ線断面図
【図１０】図４におけるＸ−Ｘ線断面図
【図１１】図４におけるＸＩ−ＸＩ線断面図
【図１２】同パチンコ遊技機における崩し形状部の作用を示す模式図
【図１３】他の形態の崩し形状部が形成されたタンクレールを示す斜視図
【図１４】同他の形態の崩し形状部が形成されたタンクレールを示す縦断面図
【図１５】図１４におけるＸＶ−ＸＶ線断面図
【図１６】同他の形態の崩し形状部が形成されたタンクレールにおける下層の遊技球が流通する部位を示す縦断面図
【図１７】同他の形態の崩し形状部が形成されたタンクレールにおける上層の遊技球が流通する部位を示す平面図
【図１８】更に他の形態の崩し形状部が形成されたタンクレールを示す斜視図
【図１９】同更に他の形態の崩し形状部が形成されたタンクレールを示す縦断面図
【図２０】図１９におけるＸＸ−ＸＸ線断面図
【図２１】同更に他の形態の崩し形状部が形成されたタンクレールにおける下層の遊技球が流通する部位を示す縦断面図
【図２２】同更に他の形態の崩し形状部が形成されたタンクレールにおける上層の遊技球が流通する部位を示す平面図
【図２３】本発明に係る第２の実施形態のパチンコ遊技機を示す斜視図
【図２４】同パチンコ遊技機における収容タンク及びタンクレールを組み付ける前の状態を示す斜視図
【図２５】同パチンコ遊技機における収容タンク及びタンクレールを示す斜視図
【図２６】同パチンコ遊技機における収容タンク及びタンクレールを示す平面図
【図２７】図２６におけるＸＸＶＩＩ−ＸＸＶＩＩ線断面図
【図２８】同パチンコ遊技機における収容タンク内の遊技球の流下経路を示す断面図
【図２９】図２８におけるＸＸＩＸ−ＸＸＩＸ線断面図
【図３０】図２８におけるＸＸＸ−ＸＸＸ線断面図
【図３１】図２８におけるＸＸＸＩ−ＸＸＸＩ線断面図
【図３２】図２８におけるＸＸＸＩＩ−ＸＸＸＩＩ線断面図
【図３３】同パチンコ遊技機における連結部の作用を示す模式図
【発明を実施するための形態】
【００１９】
以下、本発明の実施形態について図面を参照しながら具体的に説明する。
第１の実施形態に係るパチンコ遊技機１は、図１に示すように、正面側に賞球を受け得る受け皿２と、該受け皿２に収容された遊技球を打ち出すための操作ハンドル３と、遊技盤４とを具備するとともに、背面側に払出装置５と、収容タンク６と、タンクレール７とが配設されたものである。なお、パチンコ遊技機１は、ホールに固設された設置島に複数並設されて、当該設置島から遊技球が補給されるもの、或いは遊技盤４に打ち出された遊技球がその遊技機内で循環するものの何れであってもよい。
【００２０】
しかるに、遊技盤４には、種々役物や複数の釘、或いは風車等が形成されているとともに、遊技球が入賞可能な入賞口が種々形成されている。そして、かかる入賞口に遊技球が入賞すると、払出装置５に払出信号を送信し得るようになっている。また、遊技盤４の略中央には、液晶表示装置等から成る図柄表示手段（不図示）が配設されており、その画面に所定の図柄や背景等を表示し得るようになっている。
【００２１】
遊技時において始動条件が成立（例えば始動口に遊技球が入賞）したときに、当該図柄表示手段の画面に図柄を変動表示させ、特定の図柄が停止表示（例えば、複数の同一の図柄が停止表示）されることにより「大当たり」状態として大入賞口を所定時間及びタイミングで開口させ、多数の遊技球を獲得できるよう構成されている。なお、図柄表示手段においては、図柄の変動表示に加え、所定の演出表示（例えば「大当たり状態」となる期待度を示す演出等）を行わせ得るようになっている。
【００２２】
収容タンク６は、所定量の遊技球を収容し得る収容部６ａが形成されたもので、パチンコ遊技機１の背面側上部に配設されている。タンクレール７は、その基端７ａが収容タンク６に接続され、当該収容タンク６内の遊技球を１列に整列させつつ流下させ得るものであるとともに、その先端７ｂが払出装置５における遊技球の導入口５ａ（図２参照）に接続可能とされている。本実施形態においては、これら収容タンク６とタンクレール７とが一体部品とされており、図２に示すように、当該一体部品をパチンコ遊技機１の背面側上部に組み付けるよう構成されている。
【００２３】
払出装置５は、賞球としての遊技球を払い出すためのもので、導入口５ａを介してタンクレール７から導入された遊技球を計数し、所定量の遊技球を受け皿２に払出可能とされている。なお、払出装置５の内部には、モータ等の駆動源を具備して遊技球を払い出すための払出機構が配設されており、当該駆動源の駆動により任意速度にて所定量の遊技機を払出可能となっている。
【００２４】
ここで、本実施形態に係る収容タンク６とタンクレール７との接続部（境界部）には、図３〜１１に示すように、収容タンク６内の遊技球をタンクレール７の下部に向かって案内する第１案内部Ａと、収容タンク６内の遊技球をタンクレール７の上部に向かって案内する第２案内部Ｂとを有しており、これら第１案内部Ａ及び第２案内部Ｂで案内された遊技球がタンクレール７にて上下層（高さ方向に遊技球が重なった状態）を成して流下し得るよう構成されている。
【００２５】
より具体的には、第１案内部Ａは、図５〜７に示すように、収容タンク６の収容部６ａに収容された遊技球をタンクレール７の底面に向かって遊技球を案内する傾斜面から成る。かかる第１案内部Ａを構成する傾斜面は、タンクレール７の略延設方向（図７中左右方向）に向かって滑らかに傾斜しつつ形成されており、収容タンク６内の遊技球をタンクレール７の下部（底面側）に向かって案内し得るよう構成されている。
【００２６】
また、第２案内部Ｂは、タンクレール７の側方縁部から当該タンクレール７に向かって遊技球を案内する部位から成る。かかる第２案内部Ｂを構成する部位は、タンクレール７の延設方向に対して略直交方向（図７中上下方向）に亘って形成された段部から成り、収容タンク６内の遊技球をタンクレール７の上部に向かって案内し得るよう構成されている。すなわち、図８〜１１で示すように、収容タンク６内の遊技球は、第１案内部Ａにより案内された遊技球の上部に第２案内部Ｂにて遊技球を案内し（図９、１０参照）、流下する遊技球が上下層を成すようになっているのである。
【００２７】
上記の如き構成を有することにより、図７に示すように、収容タンク６内で遊技球がタンクレール７の底面に向かって流下する第１流下経路αと、該第１流下経路αを経てタンクレール７を流下する遊技球の上部側に向かって当該収容タンク６内で遊技球が流下する第２流下経路βとを有するもの（言い換えるならば、収容タンク６内で第１流下経路αと第２流下経路βとが形成されることにより、タンクレール７において遊技球が上下層を成して流下し得るもの）とされている。
【００２８】
さらに、本実施形態においては、タンクレール７の途中（先端７ｂ側）に崩し形状部８が形成されている。この崩し形状部８は、図１２に示すように、タンクレール７の幅方向に屈曲形成された遊技球の流下部位から成り、その上流において上下層を成して流下する遊技球（図１１参照）を崩し、払出装置５の手前で単層とし得るよう構成されている。すなわち、図１２に示すように、上下層を成して連なる遊技球（説明上、遊技球ｔ１〜ｔ３とする）が崩し形状部８に至ると（同図（ａ）参照）、遊技球ｔ２、ｔ３に比べて当該遊技球ｔ２、ｔ３より先行する遊技球ｔ１の方が流下速度が高くなるので、流下速度に差が生じることとなり、上層の遊技球を下部（タンクレール７の底面）に落下させて単層とし得るのである。
【００２９】
このように、タンクレール７における崩し形状部８よりも上流側で上下層を成して遊技球を流下させることにより、払出装置５に向かって大量の遊技球を円滑に流下させることができるとともに、払出装置５の手前側で当該崩し形状部８にて遊技球を単層（高さ方向に遊技球が重なっていない状態）とすることにより、当該払出装置５に対して遊技球を１個ずつ順次送り込むことができる。
【００３０】
なお、タンクレール７は、上記のものに限定されず、例えば図１３〜１７に示す崩し形状部９が形成されたものとしてもよい。かかる崩し形状部９は、タンクレール７における流路を構成する一方の壁面の上部側に凸部９ａが形成されるとともに、当該凸部９ａと対向した壁面に凹部９ｂ（図１７参照）が形成されて成るものである。これにより、上下層を成す遊技球のうち上層の遊技球は大きく屈曲して流下するのに対し、下層の遊技球はほとんど屈曲せず流下することとなるので、上層の遊技球を下部（タンクレール７の底面）に落下させ易くして確実に単層とすることができる。
【００３１】
さらに、タンクレール７は、例えば図１８〜２２に示す崩し形状１０が形成されたものとしてもよい。かかる崩し形状部１０は、タンクレール７における流路を構成する一方の壁面の上部側に凸部１０ａが形成されるとともに、当該凸部１０ａと対向した壁面に凹部１０ｂ（図２１参照）が形成されて成るものである。これにより、上下層を成す遊技球のうち下層の遊技球は大きく屈曲して流下するのに対し、上層の遊技球はほとんど屈曲せず流下することとなるので、上層の遊技球を下部（タンクレール７の底面）に落下させ易くして確実に単層とすることができる。
【００３２】
次に、本発明に係る第２の実施形態について説明する。
第２の実施形態に係るパチンコ遊技機１’は、図２３に示すように、正面側に賞球を受け得る受け皿２と、該受け皿２に収容された遊技球を打ち出すための操作ハンドル３と、遊技盤４とを具備するとともに、背面側に払出装置５と、収容タンク１１と、タンクレール１２とが配設されたものである。なお、第１の実施形態と同様の構成要素には同一の符号を付し、それらの詳細な説明を省略する。また、第１の実施形態と同様、パチンコ遊技機１’は、ホールに固設された設置島に複数並設されて、当該設置島から遊技球が補給されるもの、或いは遊技盤４に打ち出された遊技球がその遊技機内で循環するものの何れであってもよい。
【００３３】
収容タンク１１は、所定量の遊技球を収容し得る収容部１１ａが形成されたもので、パチンコ遊技機１’の背面側上部に配設されている。タンクレール１２は、その基端１２ａが収容タンク６に接続され、当該収容タンク６内の遊技球を１列に整列させつつ流下させ得るものであるとともに、その先端７ｂが払出装置５における遊技球の導入口５ａ（図２４参照）に接続可能とされている。本実施形態においては、これら収容タンク１１とタンクレール１２とが一体部品とされており、図２４に示すように、当該一体部品をパチンコ遊技機１’の背面側上部に組み付けるよう構成されている。
【００３４】
ここで、本実施形態に係る収容タンク１１とタンクレール１２との接続部（境界部）には、図２５〜３２に示すように、収容タンク１１内の遊技球をタンクレール１２の下部に向かって案内する第１案内部Ａと、収容タンク６内の遊技球をタンクレール７の上部に向かって案内する第２案内部Ｂとを有しており、これら第１案内部Ａ及び第２案内部Ｂで案内された遊技球がタンクレール７にて上下層（高さ方向に遊技球が重なった状態）を成して流下し得るよう構成されている。
【００３５】
より具体的には、第１案内部Ａは、図２６〜２８に示すように、収容タンク１１の収容部１１ａに収容された遊技球をタンクレール１２の底面に向かって遊技球を案内する傾斜面から成る。かかる第１案内部Ａを構成する傾斜面は、タンクレール１２の略延設方向（図２８中左右方向）に向かって滑らかに傾斜しつつ形成されており、収容タンク１１内の遊技球をタンクレール１２の下部（底面側）に向かって案内し得るよう構成されている。
【００３６】
また、第２案内部Ｂは、タンクレール１２の側方縁部から当該タンクレール１２に向かって遊技球を案内する部位から成る。かかる第２案内部Ｂを構成する部位は、タンクレール７の延設方向に対して略直交方向（図２８中上下方向）に亘って形成された段部から成り、収容タンク１１内の遊技球をタンクレール１２の上部に向かって案内し得るよう構成されている。すなわち、図２９〜３２で示すように、収容タンク１１内の遊技球は、第１案内部Ａにより案内された遊技球の上部に第２案内部Ｂにて遊技球を案内し（図３０、３１参照）、流下する遊技球が上下層を成すようになっているのである。
【００３７】
上記の如き構成を有することにより、図２８に示すように、収容タンク１１内で遊技球がタンクレール１２の底面に向かって流下する第１流下経路αと、該第１流下経路αを経てタンクレール１２を流下する遊技球の上部側に向かって当該収容タンク１１内で遊技球が流下する第２流下経路βとを有するもの（言い換えるならば、収容タンク１１内で第１流下経路αと第２流下経路βとが形成されることにより、タンクレール１２において遊技球が上下層を成して流下し得るもの）とされている。
【００３８】
さらに、本実施形態にかかるタンクレール１２は、互いに幅方向（図２８中上下方向）にオフセットして延設された上流側の第１延設部１３ａ及び下流側の第２延設部１３ｂと、当該第１延設部１３ａ及び第２延設部１３ｂを連結させる連結部１３ｃとを有して成る。すなわち、第１延設部１３ａ、連結部１３ｃ及び第２延設部１３ｂに亘って遊技球が連なって流下する状態において、図３３に示すように、連結部１３ｃにある一の遊技球ｔ２の前後の遊技球のうち直後の遊技球ｔ３が第１延設部１３ａの延設方向（同図中ａ方向）に流下するともに直前の遊技球ｔ１が第２延設部１３ｂの延設方向（同図中ｂ方向）に流下するよう構成されているのである。
【００３９】
しかして、遊技球ｔ２は、図３３中ｃ方向に流下するので、当該遊技球ｔ２の流下速度（それに続く遊技球ｔ３も同一の流下速度に抑えられる）は、遊技球ｔ１の流下速度と比べて相対的に低くなる。したがって、遊技球ｔ２、ｔ３に比べて遊技球ｔ１の方が流下速度が高くなり、遊技球ｔ１とｔ２の間に隙間が生じることとなるので、その隙間に上層の遊技球が落下して単層とすることができる。
【００４０】
このように、収容タンク１１内の遊技球がタンクレール１２にて上下層を成して流下し得るよう構成されるとともに、当該タンクレール１２は、互いにオフセットして延設された上流側の第１延設部１３ａ及び下流側の第２延設部１３ｂと、当該第１延設部１３ａ及び第２延設部１３ｂを連結させる連結部１３ｃとを有して成るので、上下層を成して流下する遊技球を所定部位（第２延設部１３ｂと連結部１３ｃとの連結部近傍）で単層にすることができるとともに、払出装置５の払出速度に容易に追従して遊技球を流下させることができる。
【００４１】
加えて、第１延設部１３ａ、連結部１３ｃ及び第２延設部１３ｂに亘って遊技球が連なって流下する状態において、連結部１３ｃにある一の遊技球の前後の遊技球のうち直後の遊技球が第１延設部１３ａの延設方向に流下するともに直前の遊技球ｔ１が第２延設部１３ｂの延設方向に流下するよう構成されたので、より確実かつ素早く上下層を成して流下する遊技球を単層とすることができる。
【００４２】
上記第１の実施形態及び第２の実施形態によれば、遊技球がタンクレール（７、１２）にて上下層を成して流下し得るよう構成されたので、タンクレール（７、１２）の小型化及び簡素化を図ることができるとともに、払出装置５の払出速度に容易に追従して遊技球を流下させることができる。また、収容タンク（６、１１）内で遊技球がタンクレール（７、１２）の底面に向かって流下する第１流下経路αと、該第１流下経路αを経てタンクレール（７、１２）を流下する遊技球の上部側に向かって当該収容タンク（６、１１）内で遊技球が流下する第２流下経路βとを有するので、タンクレール（７、１２）の小型化及び簡素化を図ることができるとともに、払出装置５の払出速度に容易に追従して遊技球を流下させることができる。
【００４３】
さらに、上記第１の実施形態及び第２の実施形態によれば、収容タンク（６、１１）内の遊技球をタンクレール（７、１２）の下部に向かって案内する第１案内部Ａと、収容タンク（６、１１）内の遊技球をタンクレール（７、１２）の上部に向かって案内する第２案内部Ｂとを備え、当該第１案内部Ａ及び第２案内部Ｂで案内された遊技球がタンクレール（７、１２）にて上下層を成して流下し得るよう構成されたので、より確実に上下層を成して遊技球を流下させることができる。
【００４４】
またさらに、第１案内部Ａは、タンクレール（７、１２）の底面に向かって遊技球を案内する傾斜面から成るとともに、第２案内部Ｂは、タンクレール（７、１２）の側方縁部から当該タンクレール（７、１２）に向かって遊技球を案内する部位から成るので、より簡易な構成にて遊技球が上下層を成すようにすることができる。加えて、上記第１の実施形態及び第２の実施形態によれば、タンクレール（７、１２）は、その基端（７ａ、１２ａ）が収容タンク（６、１１）に接続されるとともに、その先端（７ｂ、１２ｂ）が遊技球を払い出すための払出装置５における遊技球の導入口５ａに接続可能とされたので、払出装置５の払出速度に対して遊技球の流下をより確実に追従させることができる。
【００４５】
以上、本実施形態について説明したが本発明はこれらに限定されるものではなく、例えば上下層を成す遊技球を崩して単層とする手段として、崩し形状部７〜１０（第１の実施形態参照）或いは連結部１３ｃ（第２の実施形態参照）以外の手段としてもよい。さらに、崩し形状部７〜１０（第１の実施形態参照）或いは連結部１３ｃ（第２の実施形態参照）に加えて、上下層を成して流下する遊技球を崩して単層とし得る他の手段（例えば流路の上部で上層の遊技球と干渉して均す手段等）をタンクレール（７、１２）に配設するようにしてもよい。なお、上下層を成す遊技球は、上下２層に限らず上下方向に対して３層以上の複数層であってもよい。
【００４６】
また、タンクレール７における崩し形状部７〜１０とそれ以外の流路、或いはタンクレール１２における連結部１３ｃとそれ以外の流路（この場合、第１延設部１３ａ及び第２延設部１３ｂ）は、本実施形態の如く一体であってもよく、別体のものを接続させたものとしてもよい。特に、第２の実施形態における連結部１３ｃは、直線状の流路であってもよく所定の曲率を有して屈曲した湾曲形状の流路であってもよい。
【産業上の利用可能性】
【００４７】
収容タンク内で遊技球がタンクレールの底面に向かって流下する第１流下経路と、該第１流下経路を経て前記タンクレールを流下する遊技球の上部側に向かって当該収容タンク内で遊技球が流下する第２流下経路とを有することにより、遊技球がタンクレールにて上下層を成して流下し得るよう構成されるとともに、当該タンクレールは、幅方向に屈曲形成され、上下層を成して流下する遊技球を崩して単層とし得る部位を有するパチンコ遊技機であれば、外観形状が異なるもの或いは他の機能が付加されたもの等に適用してもよい。
【符号の説明】
【００４８】
１、１’  パチンコ遊技機
２  受け皿
３  操作ハンドル
４  遊技盤
５  払出装置
５ａ  導入口
６  収容タンク
７  タンクレール
８〜１０  崩し形状部
１１  収容タンク
１２  タンクレール
１３ａ  第１延設部
１３ｂ  第２延設部
１３ｃ  連結部
α  第１流下経路
β  第２流下経路
Ａ  第１案内部
Ｂ  第２案内部
【図１】
0005351949.tif 000002
【図２】
0005351949.tif 000003
【図３】
0005351949.tif 000004
【図４】
0005351949.tif 000005
【図５】
0005351949.tif 000006
【図６】
0005351949.tif 000007
【図７】
0005351949.tif 000008
【図８】
0005351949.tif 000009
【図９】
0005351949.tif 000010
【図１０】
0005351949.tif 000011
【図１１】
0005351949.tif 000012
【図１２】
0005351949.tif 000013
【図１３】
0005351949.tif 000014
【図１４】
0005351949.tif 000015
【図１５】
0005351949.tif 000016
【図１６】
0005351949.tif 000017
【図１７】
0005351949.tif 000018
【図１８】
0005351949.tif 000019
【図１９】
0005351949.tif 000020
【図２０】
0005351949.tif 000021
【図２１】
0005351949.tif 000022
【図２２】
0005351949.tif 000023
【図２３】
0005351949.tif 000024
【図２４】
0005351949.tif 000025
【図２５】
0005351949.tif 000026
【図２６】
0005351949.tif 000027
【図２７】
0005351949.tif 000028
【図２８】
0005351949.tif 000029
【図２９】
0005351949.tif 000030
【図３０】
0005351949.tif 000031
【図３１】
0005351949.tif 000032
【図３２】
0005351949.tif 000033
【図３３】
0005351949.tif 000034